(57)【要約】【課題】少なくとも幅又は厚さが異なる２種類以上のカードを選択的に挿入可能な構造において、カードの誤挿入を防止できるとともに、その誤挿入防止機構の構造を簡略化できる部品点数が少ないカード用コネクタ装置を提供すること。【解決手段】本発明のカード用コネクタ装置１では、第１の収納部３ａ内へのカードＣの挿入経路を塞ぐシャッタ部材９９と、シャッタ部材９９を閉位置でロックするロック機構２０，９９ａとが設けられ、ロック機構２０，９９ａによるロック状態が第１のカードＣ１の挿入によって解除される。そのため、第１の収納部３ａへの第１のカードＣ１の挿入を阻害することなく、第１の収納部３ａに対する第２のカードＣ２の誤挿入を防止できる。また、ロック機構の一部２０がカバー部材２ｂの一部を折り曲げることによって形成されているため、既存部品を有効に活用でき、部品点数の削減を図れる。【選択図】図１
2007242527.tif 000002
【特許請求の範囲】
【請求項１】
第１のカードと、この第１のカードよりも幅又は厚さが小さい第２のカードとを選択的に挿入可能に構成され、前記カードとの電気的な接続を果たすカード用コネクタ装置であって、
前記第１のカードを収納するための第１の収納部と前記第２のカードを収納するための第２の収納部とを有するハウジング本体と、このハウジング本体の上部開口を閉じるカバー部材とを備えるハウジングと、
前記第１の収納部内へのカードの挿入経路を塞ぐ閉位置と、前記第１の収納部内へのカードの挿入経路を開放する開位置との間で移動可能なシャッタ部材と、
前記シャッタ部材をその閉位置でロックするロック機構と、
を備え、
前記ロック機構は、前記カバー部材の一部を折り曲げることによって形成され、前記シャッタ部材と係脱可能に係合する係合片を有し、
前記ロック機構によるロック状態が、前記第１の収納部内へ挿入される前記第１のカードによって解除されることを特徴とするカード用コネクタ装置。
【請求項２】
前記係合片は、前記第１の収納部内へ挿入される前記第１のカードと接触して変位することにより、前記シャッタ部材との係合状態が解除されることを特徴とする請求項１記載のカード用コネクタ装置。
【請求項３】
前記シャッタ部材は、前記第２の収納部内へのカードの挿入経路を塞がないように配置されていることを特徴とする請求項１又は請求項２記載のカード用コネクタ装置。
【請求項４】
前記係合片は、カード挿入方向と直交する方向に沿う両側で前記シャッタ部材と係合し、これらの両側における係合部位同士の間の距離は、カード挿入方向と直交する方向に沿う前記第１のカードの寸法よりも小さく、カード挿入方向と直交する方向に沿う前記第２のカードの寸法よりも大きいことを特徴とする請求項１から請求項３のいずれかに記載のカード用コネクタ装置。
【発明の詳細な説明】
【技術分野】
【０００１】
本発明はカード用コネクタ装置に関し、特に、長さ、幅、厚さなどが異なる２種類以上のカードを選択的に挿入可能に構成されたカード用コネクタ装置に関する。
【背景技術】
【０００２】
従来から、パソコン、ビデオカメラ、デジタルカメラ、携帯電話などの電子装置に対して着脱自在に装着される可搬型の媒体として、ＰＣカード、メモリカードなどのカード状の記憶媒体や通信用カード（以下、単に、カードという）などが知られている。このようなカードは、電子装置に搭載されたカード用コネクタ装置を介して、電子装置に対して挿入・排出されるとともに、その外部接続端子が電子装置の回路基板に形成された電子回路と電気的に接続される。
【０００３】
ところで、前記カード用コネクタ装置の中には、長さ、幅、厚さなどが異なる２種類以上のカードを選択的に挿入できる構造のものがある（特許文献１参照）。このような構造においては、２種類のカードを対応する挿入場所に適切に挿入する必要があり、そのため、一般に、カードの誤挿入を防止するための様々な機構が従来から提案されている。
【特許文献１】特開２００４−２１３５０５号公報
【発明の開示】
【発明が解決しようとする課題】
【０００４】
ところで、カードの誤挿入を防止するための機構として、カードの挿入経路にシャッタ部材を開閉可能に設けるとともに、このシャッタ部材を閉位置にロック可能なロック機構を設けることが考えられるが、従来技術においては、このロック機構の構造が複雑であり、したがって、部品点数が多く、組み立てが面倒であった。
【０００５】
本発明はかかる点に鑑みてなされたものであり、少なくとも幅又は厚さが異なる２種類以上のカードを選択的に挿入可能な構造において、カードの誤挿入を防止できるとともに、その誤挿入防止機構の構造を簡略化できる部品点数が少ないカード用コネクタ装置を提供することを目的とする。
【課題を解決するための手段】
【０００６】
本発明のカード用コネクタ装置は、第１のカードと、この第１のカードよりも幅又は厚さが小さい第２のカードとを選択的に挿入可能に構成され、前記カードとの電気的な接続を果たすカード用コネクタ装置であって、前記第１のカードを収納するための第１の収納部と前記第２のカードを収納するための第２の収納部とを有するハウジング本体と、このハウジング本体の上部開口を閉じるカバー部材とを備えるハウジングと、前記第１の収納部内へのカードの挿入経路を塞ぐ閉位置と、前記第１の収納部内へのカードの挿入経路を開放する開位置との間で移動可能なシャッタ部材と、前記シャッタ部材をその閉位置でロックするロック機構とを備え、前記ロック機構は、前記カバー部材の一部を折り曲げることによって形成され、前記シャッタ部材と係脱可能に係合する係合片を有し、前記ロック機構によるロック状態が、前記第１の収納部内へ挿入される前記第１のカードによって解除されることを特徴とする。
【０００７】
この構成によれば、第１の収納部内へのカードの挿入経路を塞ぐシャッタ部材と、シャッタ部材を閉位置でロックするロック機構とが設けられるとともに、ロック機構によるロック状態が第１のカードの挿入によって解除されるようになっているため、第１の収納部への第１のカードの挿入を阻害することなく、第１の収納部に対する第２のカードの誤挿入を防止することが可能になる。また、ロック機構の一部が前記カバー部材の一部を折り曲げることによって形成されているため、既存部品を有効に活用でき、部品点数の削減を図ることができる。
【０００８】
本発明のカード用コネクタ装置においては、前記係合片は、前記第１の収納部内へ挿入される前記第１のカードと接触して変位することにより、前記シャッタ部材との係合状態が解除されることが好ましい。この構成によれば、シャッタ部材と第１のカードとの接触に伴う摩擦力により、第１の収納部からの第１のカードの排出動作にブレーキをかけることができるため、第１のカードの排出動作を安全、かつ、円滑に行なうことが可能になる。なお、この構成において、シャッタ部材と接触する第１のカードの接触部位としては、第１のカードの上面、下面、側面を挙げることができる。
【０００９】
本発明のカード用コネクタ装置においては、前記シャッタ部材は、前記第２の収納部内へのカードの挿入経路を塞がないように配置されていることが好ましい。この構成によれば、第２の収納部に対する第２のカードの挿入経路が確実に確保される。すなわち、本構成及び前述した構成によれば、第２のカードは、シャッタ部材により第１の収納部への挿入が阻止されつつ第２の収納部に対する挿入が許容され、一方、第１のカードは、それ自体がシャッタ部材の閉位置でのロック状態を解除することにより第１の収納部に対する挿入が許容されるため、第１及び第２のカードを対応する第１及び第２の収納部に対して選択的に挿入することが可能になる。
【００１０】
本発明のカード用コネクタ装置においては、前記係合片は、カード挿入方向と直交する方向に沿う両側で前記シャッタ部材と係合し、これらの両側における係合部位同士の間の距離は、カード挿入方向と直交する方向に沿う前記第１のカードの寸法よりも小さく、カード挿入方向と直交する方向に沿う前記第２のカードの寸法よりも大きいことが好ましい。
【００１１】
この構成によれば、シャッタ部材と係合片との両側における係合状態は、第１のカードでしか解除できない。そのため、第１及び第２の収納部に対する第１及び第２のカードの選択的な挿入を確実ならしめることができる。なお、本構成において、「カード挿入方向と直交する方向に沿うカードの寸法」とは、カードの幅方向の寸法や厚さ方向の寸法を含む。
【発明の効果】
【００１２】
本発明によれば、第１の収納部内へのカードの挿入経路を塞ぐシャッタ部材と、シャッタ部材を閉位置でロックするロック機構とが設けられるとともに、ロック機構によるロック状態が第１のカードの挿入によって解除されるようになっているため、第１の収納部への第１のカードの挿入を阻害することなく、第１の収納部に対する第２のカードの誤挿入を防止することが可能になる。また、ロック機構の一部が前記カバー部材の一部を折り曲げることによって形成されているため、既存部品を有効に活用でき、部品点数の削減を図ることができる。
【発明を実施するための最良の形態】
【００１３】
以下、本発明の実施の形態について添付図面を参照して詳細に説明する。
まず、主に図１を参照しながら、本発明の実施の形態に係るカード用コネクタ装置１の構成について説明する。図１に示されるように、本実施の形態のカード用コネクタ装置１は、長さ・幅・厚さが異なる２種類のカードを選択的に挿入可能に構成された、いわゆるコンバインコネクタ装置であり、例えばパソコン、ビデオカメラ、デジタルカメラ、携帯電話などの電子装置に対して取り付け固定されるハウジング２を有している。このハウジング２は、例えば合成樹脂などの絶縁材によって形成され、前方及び上方が開口された箱型のハウジング本体２ａと、ハウジング本体２ａに結合され、ハウジング本体２ａの上部開口を覆う例えば金属製のカバー部材２ｂとを含む。ハウジング本体２ａは、メモリカードなどのカード状の媒体（以下、単にカードＣと称し、本実施の形態では、長い幅広肉厚のカードを第１のカードＣ１、短い幅狭肉薄のカードを第２のカードＣ２という）が挿入されて収納される２段状の収納部３を有しており、またハウジング２の前面には、収納部３に連通するカード挿入口４が形成されている。収納部３は、第１のカードＣ１を収容するための上段に位置する長い幅広の第１の収納部３ａと、第２のカードＣ２を収容するための下段に位置する短い幅狭の第２の収納部３ｂとを有する。また、第１の収納部３ａは、カード挿入口４からハウジング本体２ａの後端壁２１の近傍まで延在し、一方、第２の収納部３ｂは、第１の収納部３ａよりも１段低い位置でカード挿入口４からハウジング本体２ａの長手方向の略中間部まで延在するとともに、第１の収納部３ａよりもやや浅い深さをもって延びている。
【００１４】
なお、本明細書では、便宜上、カード挿入口４が位置する側を「前」、これと反対側を「後」、カバー部材２ｂが位置する側を「上」、これと反対側を「下」として、方向を規定するものとする。
【００１５】
カード挿入口４に近い収納部３内の部位には、第１の収納部３ａ内への挿入経路を塞ぐシャッタ部材９９が回動可能に配置されている。このシャッタ部材９９は、その一端側とハウジング本体２ａとの間に巻回状態で介挿保持された例えばコイルバネ９２により、閉じる方向（第１の収納部３ａ内への挿入経路を塞ぐ方向）に常時付勢されており、この付勢力に抗する力が作用することにより下側に向けて回動して第１の収納部３ａ内への挿入経路を開くようになっている。具体的には、シャッタ部材９９は、カード挿入口４と対向するように第１の収納部３ａの略全幅にわたってカードＣの挿入／排出方向（カード挿入口４を横切る図中の矢印Ｓ方向）と直交する方向に延びるとともに、その閉位置で第２の収納部３ｂの挿入経路を塞がないように下側に延び、あるいは、第２の収納部３ｂの挿入経路に沿って挿入される第２のカードＣ２と接触しない逃げ部を下側に有している（図１の（ｂ）参照）。そして、シャッタ部材９９は、コイルバネ９２の付勢力に抗する力が作用することにより、ハウジング本体２ａに支持された両側の回動支点を中心に第２の収納部３ｂ内へと下側に回動するようになっている。なお、シャッタ部材９９には、第１の収納部３ａ内への第１のカードＣ１の挿入を案内するガイド手段が設けられていることが好ましい。
【００１６】
また、本実施の形態のカード用コネクタ装置１には、シャッタ部材９９を閉位置（第１の収納部３ａ内への挿入経路を塞ぐ位置）にロックするためのシャッタロック機構が設けられている。具体的に、このシャッタロック機構は、図１及び図１５に明確に示されるように、シャッタ部材９９の長手方向両端部の上面に突設された一対の爪部９９ａ，９９ａと、カバー部材２ｂの両側に設けられ、対応する爪部９９ａと係脱可能に係合する係合ロック部（係合片）２０，２０とを有する。係合ロック部２０，２０は、爪部９９ａ，９９ａと対向するカバー部材２ｂ（金属板）の部位を下側に向けて切り起こすことにより形成される弾性片で構成され、その弾発力により端部の係合穴２０ａが爪部９９ａと係合する方向に常時付勢されている。
【００１７】
なお、シャッタロック機構を構成する両側の爪部９９ａ，９９ａ及び係合ロック部２０，２０は、第２のカードＣ２の幅寸法Ｗ２（図２参照）よりも大きい距離Ｌを隔てて互いに離間するとともに、第１のカードＣ１の幅寸法Ｗ１（図７参照）よりも短い距離Ｌを隔てて互いに離間している。また、爪部９９ａ，９９ａと係合ロック部２０，２０との係合位置は、第２のカードＣ２が載置される第２の収納部３ｂの載置面からの高さが第２のカードＣ２の厚さよりも大きく設定されている。また、各係合ロック部２０は、第１の収納部３ａ内に挿入される第１のカードＣ１と接触できるように、カバー部材２ｂからハウジング本体２ａの後端壁２１に向けて斜め下方に延びて第１の収納部３ａの挿入経路内に突出している。
【００１８】
また、収納部３の奥側、より正確には第１の収納部３ａの奥側には、第１の収納部３ａ内に挿入される第１のカードＣ１の外部接続端子と接触する弾性片で構成された複数のコネクタ端子５ａが並設されている。また、収納部３の長手方向の略中間部、より正確には第２の収納部３ｂ内には、第２の収納部３ｂ内に挿入される第２のカードＣ２の外部接続端子と接触する弾性片で構成された複数のコネクタ端子５ｂが並設されている。この場合、コネクタ端子５ａ，５ｂは、電子装置などの外部の回路基板上の対応する回路パターンと電気的に接続されるようになっている。なお、カードＣが所定の収納位置に位置されたこと（したがって、第１または第２のカードＣ１，Ｃ２の外部接続端子とコネクタ端子５ａ，５ｂとが接触したこと）を電気的に検知するためのカード検出手段が設けられていることが好ましい。
【００１９】
またハウジング本体２ａは両側に側壁２２ａ，２２ｂを有している。この場合、一方側の側壁２２ａの前端側内面は、上下に段差を成す段状の面として形成されており、そのうち、第１の収納部３ａ内に面する上側の内面６ａは、第１の収納部３ａ内に挿入される第１のカードＣ１の一側縁部を案内する第１のガイド面として形成され、また、第２の収納部３ｂ内に面する下側の内面６ｂは、第２の収納部３ｂ内に挿入される第２のカードＣ２の一側縁部を案内する第２のガイド面として形成されている。
【００２０】
またハウジング本体２ａには、ハウジング２に対するカードＣの挿入／排出方向に移動可能なスライド部材１２が取り付けられている。この場合、スライド部材１２は、ハウジング本体２ａの他方側の側壁２２ｂに沿って摺動可能に配置されている。
【００２１】
スライド部材１２は、合成樹脂などの絶縁材料により構成されるとともに、例えばカードＣの挿入／排出方向に沿って延びるガイドレールに係合しており、このガイドレールに沿って移動するようになっている。具体的には、スライド部材１２は、後述するハート型のカム溝８０とロックピン８２との係合による移動規制により、収納部３内に導入された第１または第２のカードＣ１，Ｃ２の外部接続端子がコネクタ端子５ａ又は５ｂに電気的に接続される接続位置（後述する図６及び図１４に示される位置）と、ハウジング２に対するカードＣの挿脱が可能となるようにカードＣがハウジング２の外部に押し出される排出位置（図１〜４及び図８〜１１に示される位置）との間で移動できるようになっている。
【００２２】
また、スライド部材１２は、ハウジング本体２ａの側方に位置して前後（カードＣの挿入／排出方向）に延びる本体部１２ａと、第１の収納部３ａ内に突出するように本体部１２ａの後端部に一体に形成され、第１のカードＣ１の後端と当接可能な略三角形状の第１の押圧作用部１２ｂと、第２の収納部３ｂ内に突出するように本体部１２ａの略中間部に一体に形成され、第２のカードＣ２の後端と当接可能な略長方形状の第２の押圧作用部１２ｃとを有している。
【００２３】
本体部１２ａの前端側の内側面は、上下に段差を成す段状の面として形成されており、そのうち、第１の収納部３ａ内に面する本体部１２ａの上側の内面６ｃは、前述したハウジング本体２ａの第１のガイド面６ａとともに、第１の収納部３ａ内に挿入される第１のカードＣ１の他側縁部を案内する第３のガイド面６ｃとして形成されている。また、第２の収納部３ｂ内に面する本体部１２ａの下側の内面６ｄは、前述したハウジング本体２ａの第２のガイド面６ｂとともに、第２の収納部３ｂ内に挿入される第２のカードＣ２の他側縁部を案内する第４のガイド面６ｄとして形成されている。
【００２４】
また、第１及び第２の押圧作用部１２ｂ，１２ｃは、対応するカードＣと当接することにより、カードＣとスライド部材１２との間の移動に伴う力の伝達を行なうようになっている。
【００２５】
なお、スライド部材１２は、図示しない付勢手段としての圧縮バネにより、前記排出位置に向けて常時付勢されている。この場合、前記圧縮バネの後端は、ハウジング本体２ａの後端壁２１の内面に突設されたバネ支持部に支持されるとともに、前記圧縮バネの前端側は、スライド部材１２の本体部１２ａの後端面に突設されたバネ支持部に支持されている。
【００２６】
また、本実施の形態のカード用コネクタ装置１は、スライド部材１２を前記接続位置でロックするスライドロック機構を有している。このスライドロック機構は、スライド部材１２の本体部１２ａの前端側上面に形成されたハート型のカム溝８０と、このカム溝８０と係合するロックピン８２とを有する。
【００２７】
ロックピン８２は、その一端８２ａがハウジング本体２ａの側部前端に支持され、その他端８２ｂがカム溝８０と摺動可能に係合するようになっている。またハウジング２のカバー部材２ｂには、ロックピン８２を押圧してロックピン８２の他端８２ｂとカム溝８０との係合状態を保持する押圧部１０３が設けられている。この場合、押圧部１０３は、ロックピン８２と対向するカバー部材２ｂ（金属板）の部位を下側に向けて切り起こすことにより形成される弾性片からなることが好ましい。
【００２８】
図６などに明確に示されるように、ハート型のカム溝８０は、複数の斜面や平面で構成された環状溝として形成されている。具体的には、カム溝８０は、スライド部材１２の前記排出位置を規定する後端係止溝部８０ａと、カム溝８０の前端側の中央に位置するとともにスライド部材１２の前記接続位置を規定する窪んだ前端係止溝部８０ｂと、後端係止溝部８０ａと前端係止溝部８０ｂとを接続するように略ハート型の外形に沿って延びる一対の第１及び第２の摺動溝部８０ｃ，８０ｄとを含む。また、カム溝８０は、後述するように、その後端係止溝部８０ａにロックピン８２の他端８２ｂが係止することにより、スライド部材１２を前記排出位置に保持するとともに、その前端係止溝部８０ｂにロックピン８２の他端８２ｂが係止することにより、スライド部材１２を前記接続位置に保持（ロック）するようになっている。
【００２９】
次に、図２〜図１５を参照しながら、上記構成のカード用コネクタ装置１の動作について説明する。
【００３０】
まず、図２〜図６を参照しながら、短い幅狭肉薄の第２のカードＣ２をハウジング２内に挿入する場合について説明する。図２は、スライド部材１２が圧縮バネの付勢力により排出位置に位置された状態を示している。この状態では、カム溝８０の後端係止溝部８０ａにロックピン８２の他端８２ｂが係止している。この状態から、第２のカードＣ２をカード挿入口４を通じて下側の第２の収納部３ｂ内に押し込む（挿入する）と、第２のカードＣ２は、図３に示されるようにその両側縁が第２および第４のガイド面６ｂ，６ｄによってガイドされながら、シャッタ部材９９と干渉することなく、その後端が第２の押圧作用部１２ｃに当接する。その状態が図４に示されている。
【００３１】
なお、第２のカードＣ２を誤って上側の第１の収納部３ａ内に挿入した場合には、第２のカードＣ２の後端がシャッタ部材９９に突き当たってしまう。この時、第２のカードＣ２の幅寸法Ｗ２は、シャッタロック機構の両側の係合位置（爪部９９ａと係合ロック部２０とが係合する位置）同士の離間距離Ｌよりも小さいため、第２のカードＣ２の挿入によってシャッタロック機構の両側の係合状態が解除されることはなく、したがって、シャッタ部材９９は開かず、第２のカードＣ２をハウジング２内にそれ以上挿入することができない。つまり、第２のカードＣ２の誤挿入（誤装着）が防止される。
【００３２】
また、図４に示されるような当接状態から第２のカードＣ２を第２の収納部３ｂ内にさらに挿入していくと、図５に示されるように、第２の押圧作用部１２ｃに作用する第２のカードＣ２の押し込み力により、スライド部材１２が前記圧縮バネの付勢力に抗して前記接続位置へと移動する。また、この移動に伴って、ロックピン８２の他端８２ｂがカム溝８０の第１の摺動溝部８０ｃをトレースする。そして、このような移動によってスライド部材１２が接続位置に達すると、ロックピン８２の他端８２ｂがカム溝８０の中央の窪んだ前端係止溝部８０ｂに係止し、スライド部材１２がハウジング２に対して位置決め固定される。すなわち、スライド部材１２が接続位置でロックされる。その状態が図６に示されている。この図６に示される状態では、第２のカードＣ２の外部接続端子が対応するコネクタ端子５ｂと接触される。
【００３３】
なお、この図６の状態で、第２のカードＣ２をハウジング２から引き出す場合には、第２のカードＣ２を一旦ハウジング２内に押し込んで、スライド部材１２を圧縮バネの付勢力に抗してハウジング２の奥へとさらにスライドさせる。これにより、ロックピン８２の他端８２ｂとカム溝８０の前端係止溝部８０ｂとの係止状態が解除される。そのため、この状態で第２のカードＣ２及びスライド部材１２に対する押圧力を解除すると、圧縮バネによる付勢力により第２のカードＣ２及びスライド部材１２が排出位置へと移動される。この移動により、ロックピン８２の他端８２ｂがカム溝８０の第２の摺動溝部８０ｄをトレースし、それに伴って第２のカードＣ２もカード挿入口４を通じてハウジング２の外部へと押し出される。その後、ロックピン８２の他端８２ｂがカム溝８０の後端係合溝部８０ａに係止して、スライド部材１２が排出位置に位置されると、図４に示される状態に戻る。
【００３４】
次に、図７〜図１５を参照しながら、長い幅広肉厚の第１のカードＣ１をハウジング２内に挿入する場合について説明する。図７、図８、図１５（ａ）は、スライド部材１２が圧縮バネの付勢力により排出位置に位置された状態を示している。この状態では、前述したように、カム溝８０の後端係止溝部８０ａにロックピン８２の他端８２ｂが係止している。この状態から、第１のカードＣ１をカード挿入口４を通じて上側の第１の収納部３ａ内に押し込む（挿入する）と、第１のカードＣ１は、図９に示されるようにその両側縁が第１および第３のガイド面６ａ，６ｃによってガイドされながら第１の収納部３ａ内に向けて進み、その途中で図１５の（ｂ）に示されるようにその上面がシャッタロック機構を構成する両側の係合ロック部２０，２０と接触し、この係合ロック部２０をその下向きの弾発力に抗して持ち上げる。これにより、図１５の（ｃ）に示されるように係合ロック部２０とシャッタ部材９９の爪部９９ａとの係合状態が解除される。そのため、そのまま第１のカードＣ１を更に第１の収納部３ａ内へと押し込むと、図１０に示されるようにシャッタ部材９９が下側に回動し始め、シャッタ部材９９が完全に回動した時点で第１の収納部３ａ内への挿入経路が確保（開放）される（図１１参照）。そして、そのままさらに第１のカードＣ１を第１の収納部３ａ内へと押し進めると、第１のカードＣ１の後端が第１の押圧作用部１２ｂに当接する。その状態が図１２に示されている。
【００３５】
なお、第１のカードＣ１を誤って下側の第２の収納部３ｂ内に挿入しようとした場合には、第１のカードＣ１の後端がハウジング本体２ａの前端面に突き当たる。これは、ガイド面６ｂ，６ｄ間の距離（第２の収納部３ｂに通じるカード挿入口４の下側の開口部）が第１のカードＣ１の幅寸法Ｗ１よりも小さく設定されているからである。つまり、第１のカードＣ１の誤挿入（誤装着）は、カード挿入口４の上下開口部の大きさの差により、ハウジング２内への挿入前の段階で確実に防止される。
【００３６】
また、図１２に示されるような当接状態から第１のカードＣ１を第１の収納部３ａ内にさらに挿入していくと、図１３に示されるように、第２の押圧作用部１２ｃに作用する第１のカードＣ１の押し込み力により、スライド部材１２が前記圧縮バネの付勢力に抗して前記接続位置へと移動する。また、この移動に伴って、ロックピン８２の他端８２ｂがカム溝８０の第１の摺動溝部８０ｃをトレースする。そして、このような移動によってスライド部材１２が接続位置に達すると、ロックピン８２の他端８２ｂがカム溝８０の中央の窪んだ前端係止溝部８０ｂに係止し、スライド部材１２がハウジング２に対して位置決め固定される。すなわち、スライド部材１２が接続位置でロックされる。その状態が図１４に示されている。この図１４に示される状態では、第１のカードＣ１の外部接続端子が対応するコネクタ端子５ａと接触される。
【００３７】
なお、この図１４の状態で、第１のカードＣ１をハウジング２から引き出す場合には、第１のカードＣ１を一旦ハウジング２内に押し込んで、スライド部材１２を圧縮バネの付勢力に抗してハウジング２の奥へとさらにスライドさせる。これにより、ロックピン８２の他端８２ｂとカム溝８０の前端係止溝部８０ｂとの係止状態が解除される。そのため、この状態で第１のカードＣ１及びスライド部材１２に対する押圧力を解除すると、圧縮バネによる付勢力により第１のカードＣ１及びスライド部材１２が排出位置へと移動される。この移動により、ロックピン８２の他端８２ｂがカム溝８０の第２の摺動溝部８０ｄをトレースし、それに伴って第１のカードＣ１もカード挿入口４を通じてハウジング２の外部へと押し出される。その後、ロックピン８２の他端８２ｂがカム溝８０の後端係合溝部８０ａに係止して、スライド部材１２が排出位置に位置されると、図１２に示される状態に戻る。
【００３８】
以上説明したように、本実施の形態のカード用コネクタ装置１によれば、第１の収納部３ａ内へのカードの挿入経路を塞ぐシャッタ部材９９と、シャッタ部材９９を閉位置でロックするロック機構２０，９９ａとが設けられるとともに、ロック機構２０，９９ａによるロック状態が第１のカードＣ１の挿入によって解除されるようになっているため、第１の収納部３ａへの第１のカードＣ１の挿入を阻害することなく、第１の収納部３ａに対する第２のカードＣ２の誤挿入を防止することが可能になる。また、ロック機構の一部２０がカバー部材２ｂの一部を折り曲げることによって形成されているため、既存部品を有効に活用でき、部品点数の削減を図ることができる。
【００３９】
また、本実施の形態のカード用コネクタ装置１において、ロック機構を構成する係合ロック部（係合片）２０は、第１の収納部３ａ内へ挿入される第１のカードＣ１と接触して変位することにより、シャッタ部材９９（爪部９９ａ）との係合状態が解除されるようになっている。このようにすれば、シャッタ部材９９と第１のカードＣ１との接触に伴う摩擦力により、第１の収納部３ａからの第１のカードＣ１の排出動作にブレーキをかけることができるため、第１のカードＣ１の排出動作を安全、かつ、円滑に行なうことが可能になる。
【００４０】
また、本実施の形態のカード用コネクタ装置１において、シャッタ部材９９は、第２の収納部３ｂ内へのカードＣの挿入経路を塞がないように配置されている。そのため、第２の収納部３ｂに対する第２のカードＣ２の挿入経路が確実に確保される。すなわち、本実施の形態の構成によれば、第２のカードＣ２は、シャッタ部材９９により第１の収納部３ａへの挿入が阻止されつつ第２の収納部３ｂに対する挿入が許容され、一方、第１のカードＣ１は、それ自体がシャッタ部材９９の閉位置でのロック状態を解除することにより第１の収納部３ａに対する挿入が許容されるため、第１及び第２のカードＣ１，Ｃ２を対応する第１及び第２の収納部３ａ，３ｂに対して選択的に挿入することが可能になる。
【００４１】
また、本実施の形態のカード用コネクタ装置１において、係合ロック部２０は、カード挿入方向と直交する方向に沿う両側でシャッタ部材９９（爪部９９ａ）と係合し、これらの両側における係合部位同士の間の距離Ｌは、カード挿入方向と直交する方向に沿う第１のカードＣ１の寸法（具体的には、幅寸法Ｗ１）よりも小さく、カード挿入方向と直交する方向に沿う第２のカードＣ２の寸法（具体的には、幅寸法Ｗ２）よりも大きく設定されている。そのため、シャッタ部材９９と係合ロック部２０との両側における係合状態は、第１のカードＣ１でしか解除できない。したがって、第１及び第２の収納部３ａ，３ｂに対する第１及び第２のカードＣ１，Ｃ２の選択的な挿入を確実ならしめることができる。
【００４２】
本発明は上記実施の形態に限定されず、種々変更して実施することが可能である。例えば、上記実施の形態では、係合ロック部２０が第１のカードＣ１の上面と接触して変位することにより、係合ロック部２０と爪部９９ａとの係合状態が解除されているが、係合ロック部２０が第１のカードＣ１の下面や側面と接触して変位することにより、係合ロック部２０と爪部９９ａとの係合状態が解除されても良い。また、上記実施の形態では、カードＣの幅方向に沿う両側にロック機構の係合部位が設けられているが、カードＣの厚さ方向に沿う両側にロック機構の係合部位が設けられていても良い。その場合も、ロック機構の係合状態は、第１のカードＣ１のみにより解除される必要がある。この構成は、特に、厚さが異なる２種類のカードを選択的に挿入する構造において有益である。その他、構成部材の大きさや数、取り付け態様などについては、本発明の範囲を逸脱しない範囲で種々変更して実施することができる。
【産業上の利用可能性】
【００４３】
本発明は、携帯電話やＰＣなどの各種の携帯情報端末、デジタルカメラ、あるいは、デジタルＡＶ機器などの電子装置に対して記憶媒体等のカード状の媒体を挿入・排出するとともに、このカード状の媒体に設けられた外部接続端子と電子装置の回路基板に形成された電子回路との電気的な接続を果たすためのカード用コネクタ装置に適用することができる。
【図面の簡単な説明】
【００４４】
【図１】（ａ）は本発明の一実施の形態に係るカード用コネクタ装置の平面図であり、（ｂ）は（ａ）のカード用コネクタ装置をカード挿入口側から見た正面図であり、（ｃ）は（ａ）のカード用コネクタ装置のハウジング本体の平面図であり、（ｄ）は（ａ）のＡ−Ａ線に沿う断面図、（ｅ）は（ａ）のＢ−Ｂ線に沿う断面図である。
【図２】（ａ）はハウジング内への第２のカードの第１の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図３】（ａ）はハウジング内への第２のカードの第２の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図４】（ａ）はハウジング内への第２のカードの第３の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図５】（ａ）はハウジング内への第２のカードの第４の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図６】（ａ）はハウジング内への第２のカードの第５の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図７】（ａ）はハウジング内への第１のカードの第１の挿入段階を示すカード用コネクタ装置の平面図であり、（ｂ）は（ａ）のカード用コネクタ装置をカード挿入口側から見た正面図である。
【図８】（ａ）はハウジング内への第１のカードの第１の挿入段階を示すハウジング本体の平面図であり、（ｂ）は（ａ）のＡ−Ａ線に沿う断面図であり、（ｃ）は（ａ）のＢ−Ｂ線に沿う断面図である。
【図９】（ａ）はハウジング内への第１のカードの第２の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図１０】（ａ）はハウジング内への第１のカードの第３の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図１１】（ａ）はハウジング内への第１のカードの第４の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図１２】（ａ）はハウジング内への第１のカードの第５の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図１３】（ａ）はハウジング内への第１のカードの第６の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図１４】（ａ）はハウジング内への第１のカードの第７の挿入段階を示すハウジング本体の平面図であり、（ｂ）は（ａ）の状態においてカード用コネクタ装置をカード挿入口側から見た正面図であり、（ｃ）は（ａ）のＡ−Ａ線に沿う断面図であり、（ｄ）は（ａ）のＢ−Ｂ線に沿う断面図である。
【図１５】（ａ）はロック機構のロック状態における要部斜視図であり、（ｂ）はロック機構の係合ロック部が上側に変位される途中の段階を示す要部斜視図であり、（ｃ）はロック機構のロック状態が解除された状態を示す要部斜視図である。
【符号の説明】
【００４５】
１  カード用コネクタ装置
２  ハウジング
２ａ  ハウジング本体
２ｂ  カバー部材
３ａ  第１の収納部
３ｂ  第２の収納部
４  カード挿入口
１２  スライド部材
２０  係合ロック部（係合片；ロック機構）
９９  シャッタ部材
９９ａ  爪部（ロック機構）
Ｃ１  第１のカード
Ｃ２  第２のカード
【図１】
2007242527.tif 000003
【図２】
2007242527.tif 000004
【図３】
2007242527.tif 000005
【図４】
2007242527.tif 000006
【図５】
2007242527.tif 000007
【図６】
2007242527.tif 000008
【図７】
2007242527.tif 000009
【図８】
2007242527.tif 000010
【図９】
2007242527.tif 000011
【図１０】
2007242527.tif 000012
【図１１】
2007242527.tif 000013
【図１２】
2007242527.tif 000014
【図１３】
2007242527.tif 000015
【図１４】
2007242527.tif 000016
【図１５】
2007242527.tif 000017